(57)【特許請求の範囲】
【請求項１】
液体を吐出するための複数の吐出口を有する液体吐出部と、
前記液体吐出部に給送される記録媒体を収容する収容部と、
前記液体吐出部によって液体が吐出された記録媒体を受容する受容部と、
前記収容部から前記複数の吐出口と対向する対向位置を経由して前記受容部に至る搬送経路に沿って記録媒体を搬送する搬送部と、
前記搬送部及び前記液体吐出部を制御する制御部とを備え、
前記搬送経路は、前記収容部から前記対向位置までの上流経路と、前記対向位置から前記受容部までの下流経路と、前記下流経路から分岐して前記上流経路又は前記下流経路に戻るスイッチバック経路とを含み、
前記制御部は、
記録媒体に対して記録を行う際に、液体が吐出された記録媒体を前記搬送経路で停止させて乾燥させる必要があるか否かを判断する第１判断処理と、
前記第１判断処理で記録媒体を乾燥させる必要があると判断された場合に、前記搬送部によって記録媒体が搬送される方向である搬送方向に沿った記録媒体の長さが所定値以上か否かを判断する第２判断処理と、
前記第２判断処理で前記長さが所定値以上であると判断された場合に、前記上流経路から前記下流経路に搬送されて前記対向位置において記録が行われた記録媒体が、前記搬送方向を反転して前記スイッチバック経路に搬送され、少なくとも一部が前記スイッチバック経路にある状態で停止された後、液体が吐出された面が前記受容部と対向して前記受容部に受容されるように、前記搬送部を制御する搬送制御処理とを実行することを特徴とする記録装置。
【請求項２】
前記制御部は、前記第２判断処理において、
前記搬送方向に沿った記録媒体の長さから、記録媒体における前記下流経路の上流から下流に向かう方向の端部から記録媒体において所定量以上の液体が吐出される領域のうち前記搬送方向に関して前記端部に最も近い領域までの前記搬送方向に沿った長さを差し引いた値が、前記所定値以上か否かを判断することを特徴とする請求項１に記載の記録装置。
【請求項３】
前記スイッチバック経路は、前記下流経路から分岐して前記上流経路に戻り、
前記搬送部は、前記スイッチバック経路において記録媒体と接触して記録媒体を搬送する搬送部材を含み、
前記制御部は、前記搬送制御処理において、
前記スイッチバック経路に搬送された記録媒体を前記搬送部材と接触しない位置で停止させることを特徴とする請求項１又は２に記載の記録装置。
【請求項４】
前記制御部は、前記搬送制御処理において、
第１面及び前記第１面とは反対側の第２面の両面に記録が行われた記録媒体、又は、前記第１面に記録が行われた記録媒体を、少なくとも一部が前記スイッチバック経路にある状態で停止させた後、前記搬送方向を再度反転させて前記スイッチバック経路から前記下流経路に搬送して前記受容部に受容させることを特徴とする請求項３に記載の記録装置。
【請求項５】
前記制御部は、前記搬送制御処理において、
前記第１面に記録が行われた記録媒体を、少なくとも一部が前記スイッチバック経路にある状態で停止させた後、前記第２面への記録が行われるように、前記搬送方向を再度反転させずに前記スイッチバック経路から前記上流経路に戻すことを特徴とする請求項４に記載の記録装置。
【請求項６】
前記制御部は、前記搬送制御処理の前に、
前記搬送方向に沿った記録媒体の長さが短いほど、前記スイッチバック経路において延在する長さが短くなるように、記録媒体の前記スイッチバック経路における停止位置を決定する第１決定処理を実行することを特徴とする請求項１、３〜５のいずれか１項に記載の記録装置。
【請求項７】
前記制御部は、前記搬送制御処理の前に、
前記搬送方向に沿った記録媒体の長さから、記録媒体における前記下流経路の上流から下流に向かう方向の端部から記録媒体において所定量以上の液体が吐出される領域のうち前記搬送方向に関して前記端部に最も近い領域までの前記搬送方向に沿った長さを差し引いた値が小さいほど、前記スイッチバック経路において延在する長さが短くなるように、記録媒体の前記スイッチバック経路における停止位置を決定する第１決定処理を実行することを特徴とする請求項２に記載の記録装置。
【請求項８】
前記搬送部は、前記下流経路の最も下流において記録媒体を支持する支持部材を含み、
前記制御部は、前記搬送制御処理において、
前記スイッチバック経路に搬送された記録媒体を、前記支持部材からの前記搬送方向の突出長さが所定長さ以下の状態で停止させることを特徴とする請求項１〜７のいずれか１項に記載の記録装置。
【請求項９】
前記制御部は、前記搬送制御処理の前に、
前記受容部に受容された記録媒体の量が多いほど、前記突出長さが短くなるように、記録媒体の前記スイッチバック経路における停止位置を決定する第２決定処理を実行することを特徴とする請求項８に記載の記録装置。
【請求項１０】
前記搬送部は、前記下流経路において記録媒体と接触して記録媒体を搬送する拍車ローラを含むことを特徴とする請求項１〜９のいずれか１項に記載の記録装置。
【請求項１１】
前記液体吐出部によって液体が吐出された記録媒体を受容する前記受容部とは別の増設受容部と、前記下流経路から分岐して前記増設受容部に向かう増設搬送経路に沿って記録媒体を搬送する増設搬送部とを含む、増設ユニットを着脱可能であり、
前記増設搬送経路の長さは、前記下流経路のうち前記増設搬送経路との分岐位置よりも下流の部分の長さよりも長く、
前記制御部は、
前記増設ユニットが装着されているか否かを判断する第３判断処理を実行し、
前記第３判断処理で前記増設ユニットが装着されていると判断された場合に、記録媒体を前記受容部及び前記増設受容部のいずれに受容させるかが指定されていなければ、前記上流経路から前記下流経路に搬送されて前記対向位置において記録が行われた記録媒体が、前記増設搬送部によって前記増設受容部に向けて搬送され、少なくとも一部が前記増設搬送経路にある状態で停止された後、液体が吐出された面が前記増設受容部と対向して前記増設受容部に受容されるように、前記搬送部及び前記増設搬送部を制御することを特徴とする請求項１〜１０のいずれか１項に記載の記録装置。
【発明の詳細な説明】
【技術分野】
【０００１】
本発明は、記録媒体に対して液体を吐出することにより記録を行う記録装置に関する。
【背景技術】
【０００２】
特許文献１には、排出部（受容部）又は排出部に配置された用紙（記録媒体）へのインク（液体）の付着を防止するため、インクが吐出された用紙を、ヘッドよりも下流且つ排出部よりも上流に設けられたガイド内（下流経路）で待機（停止）させて乾燥させた後、インクが吐出された面が排出部と対向するように排出部に排出することが示されている（段落００３８、００４２及び図１参照）。
【先行技術文献】
【特許文献】
【０００３】
【特許文献１】特開２０１４−０８００１１号公報
【発明の概要】
【発明が解決しようとする課題】
【０００４】
特許文献１の技術では、搬送方向に沿った記録媒体の長さが長い場合に、記録媒体を下流経路で停止させている間、記録媒体の先端（記録媒体における下流経路の上流から下流に向かう方向の端部）部分が受容部又は受容部に受容された記録媒体に接触した状態が維持され、記録媒体の先端部分に付着した液体が受容部又は受容部に受容された記録媒体に移るという問題が生じ得る。
【０００５】
本発明の目的は、液体が吐出された記録媒体を搬送経路で停止させて乾燥させる必要がある場合に、搬送方向に沿った記録媒体の長さが長くても、記録媒体の乾燥停止中に、記録媒体に付着した液体が受容部又は受容部に受容された記録媒体に移る問題を抑制することができる記録装置を提供することである。
【課題を解決するための手段】
【０００６】
本発明に係る記録装置は、液体を吐出するための複数の吐出口を有する液体吐出部と、前記液体吐出部に給送される記録媒体を収容する収容部と、前記液体吐出部によって液体が吐出された記録媒体を受容する受容部と、前記収容部から前記複数の吐出口と対向する対向位置を経由して前記受容部に至る搬送経路に沿って記録媒体を搬送する搬送部と、前記搬送部及び前記液体吐出部を制御する制御部とを備え、前記搬送経路は、前記収容部から前記対向位置までの上流経路と、前記対向位置から前記受容部までの下流経路と、前記下流経路から分岐して前記上流経路又は前記下流経路に戻るスイッチバック経路とを含み、前記制御部は、記録媒体に対して記録を行う際に、液体が吐出された記録媒体を前記搬送経路で停止させて乾燥させる必要があるか否かを判断する第１判断処理と、前記第１判断処理で記録媒体を乾燥させる必要があると判断された場合に、前記搬送部によって記録媒体が搬送される方向である搬送方向に沿った記録媒体の長さが所定値以上か否かを判断する第２判断処理と、前記第２判断処理で前記長さが所定値以上であると判断された場合に、前記上流経路から前記下流経路に搬送されて前記対向位置において記録が行われた記録媒体が、前記搬送方向を反転して前記スイッチバック経路に搬送され、少なくとも一部が前記スイッチバック経路にある状態で停止された後、液体が吐出された面が前記受容部と対向して前記受容部に受容されるように、前記搬送部を制御する搬送制御処理とを実行することを特徴とする。
【０００７】
本発明によれば、液体が吐出された記録媒体を搬送経路で停止させて乾燥させる必要がある場合に、第２判断処理が実行され、第２判断処理で搬送方向に沿った記録媒体の長さが所定値以上であると判断された場合、記録媒体を、少なくとも一部がスイッチバック経路にある状態で停止させる。これにより、液体が吐出された記録媒体を搬送経路で停止させて乾燥させる必要がある場合に、搬送方向に沿った記録媒体の長さが長くても、記録媒体の乾燥停止中に、記録媒体に付着した液体が受容部又は受容部に受容された記録媒体に移る問題を抑制することができる。
【０００８】
前記制御部は、前記第２判断処理において、前記搬送方向に沿った記録媒体の長さから、記録媒体における前記下流経路の上流から下流に向かう方向の端部から記録媒体において所定量以上の液体が吐出される領域のうち前記搬送方向に関して前記端部に最も近い領域までの前記搬送方向に沿った長さを差し引いた値が、前記所定値以上か否かを判断してよい。上記構成によれば、搬送方向に沿った記録媒体の長さが長い場合でも、記録媒体の先端部分における液体吐出量が少なければ、スイッチバック経路で停止させずに下流経路で停止させることで、記録媒体を停止させてから受容部に受容させるまでの時間を短縮し、記録速度を向上させることができる。
【０００９】
前記スイッチバック経路は、前記下流経路から分岐して前記上流経路に戻り、前記搬送部は、前記スイッチバック経路において記録媒体と接触して記録媒体を搬送する搬送部材を含み、前記制御部は、前記搬送制御処理において、前記スイッチバック経路に搬送された記録媒体を前記搬送部材と接触しない位置で停止させてよい。上記構成によれば、もともと両面記録用の経路として備えられた経路をスイッチバック経路として用いることで、経路の追加が不要になり、装置構成の複雑化を回避することができる。また、スイッチバック経路に搬送された記録媒体を搬送部材と接触しない位置で停止させることで、記録媒体に付着した液体が搬送部材に移ること（ひいては、搬送部材に付着した液体がスイッチバック経路に沿って搬送される記録媒体に移ること）を防止することができる。さらに、搬送方向を反転させてスイッチバック経路に搬送された記録媒体を搬送部材と接触する位置で停止させた場合に、その後搬送方向を再度反転させようとすると、双方向に搬送可能な搬送部材を採用する必要があるが、上記構成によればその必要がない。
【００１０】
前記制御部は、前記搬送制御処理において、第１面及び前記第１面とは反対側の第２面の両面に記録が行われた記録媒体、又は、前記第１面に記録が行われた記録媒体を、少なくとも一部が前記スイッチバック経路にある状態で停止させた後、前記搬送方向を再度反転させて前記スイッチバック経路から前記下流経路に搬送して前記受容部に受容させてよい。上記構成によれば、記録媒体をスイッチバック経路で停止させた後再び上流経路に戻し、上流経路から下流経路に搬送して受容部に受容させる場合に比べ、記録媒体を停止させてから受容部に受容させるまでの時間を短縮し、記録速度を向上させることができる。
【００１１】
前記制御部は、前記搬送制御処理において、前記第１面に記録が行われた記録媒体を、少なくとも一部が前記スイッチバック経路にある状態で停止させた後、前記第２面への記録が行われるように、前記搬送方向を再度反転させずに前記スイッチバック経路から前記上流経路に戻してよい。上記構成によれば、両面記録を適切に行うことができる。
【００１２】
前記制御部は、前記搬送制御処理の前に、前記搬送方向に沿った記録媒体の長さが短いほど、前記スイッチバック経路において延在する長さが短くなるように、記録媒体の前記スイッチバック経路における停止位置を決定する第１決定処理を実行してよい。上記構成によれば、搬送方向に沿った記録媒体の長さが短い記録媒体ほど、記録媒体を停止させてから受容部に受容させるまでの時間が短縮され、記録速度を向上させることができる。
【００１３】
前記制御部は、前記搬送制御処理の前に、前記搬送方向に沿った記録媒体の長さから、記録媒体における前記下流経路の上流から下流に向かう方向の端部から記録媒体において所定量以上の液体が吐出される領域のうち前記搬送方向に関して前記端部に最も近い領域までの前記搬送方向に沿った長さを差し引いた値が小さいほど、前記スイッチバック経路において延在する長さが短くなるように、記録媒体の前記スイッチバック経路における停止位置を決定する第１決定処理を実行してよい。上記構成によれば、搬送方向に沿った記録媒体の長さから上記長さを差し引いた値が小さい記録媒体ほど、記録媒体を停止させてから受容部に受容させるまでの時間が短縮され、記録速度を向上させることができる。
【００１４】
前記搬送部は、前記下流経路の最も下流において記録媒体を支持する支持部材を含み、前記制御部は、前記搬送制御処理において、前記スイッチバック経路に搬送された記録媒体を、前記支持部材からの前記搬送方向の突出長さが所定長さ以下の状態で停止させてよい。上記構成によれば、記録媒体の乾燥停止中に記録媒体に付着した液体が受容部又は受容部に受容された記録媒体に移る問題をより確実に抑制することができる。
【００１５】
前記制御部は、前記搬送制御処理の前に、前記受容部に受容された記録媒体の量が多いほど、前記突出長さが短くなるように、記録媒体の前記スイッチバック経路における停止位置を決定する第２決定処理を実行してよい。上記構成によれば、受容部に受容された記録媒体に液体が付着することをより確実に抑制することができる。
【００１６】
前記搬送部は、前記下流経路において記録媒体と接触して記録媒体を搬送する拍車ローラを含んでよい。拍車ローラは、記録媒体との接触領域が小さく、記録媒体と点接触する。したがって、上記構成によれば、記録後の記録媒体が下流経路に沿って搬送されるときに記録媒体に付着した液体がローラに移ること（ひいては、そのローラに付着した液体が下流経路に沿って搬送される記録媒体に移ること）を防止することができる。
【００１７】
本発明に係る記録装置は、前記液体吐出部によって液体が吐出された記録媒体を受容する前記受容部とは別の増設受容部と、前記下流経路から分岐して前記増設受容部に向かう増設搬送経路に沿って記録媒体を搬送する増設搬送部とを含む、増設ユニットを着脱可能であり、前記増設搬送経路の長さは、前記下流経路のうち前記増設搬送経路との分岐位置よりも下流の部分の長さよりも長く、前記制御部は、前記増設ユニットが装着されているか否かを判断する第３判断処理を実行し、前記第３判断処理で前記増設ユニットが装着されていると判断された場合に、記録媒体を前記受容部及び前記増設受容部のいずれに受容させるかが指定されていなければ、前記上流経路から前記下流経路に搬送されて前記対向位置において記録が行われた記録媒体が、前記増設搬送部によって前記増設受容部に向けて搬送され、少なくとも一部が前記増設搬送経路にある状態で停止された後、液体が吐出された面が前記増設受容部と対向して前記増設受容部に受容されるように、前記搬送部及び前記増設搬送部を制御してよい。増設搬送経路で停止させて乾燥させる場合、長尺な記録媒体でも、記録媒体の後端（記録媒体における下流経路の下流から上流に向かう方向の端部）が対向位置を抜けていることが多い。したがって、上記構成によれば、次の記録媒体への記録を速やかに行うことができ、記録速度を向上させることができる。
【発明の効果】
【００１８】
本発明によれば、液体が吐出された記録媒体を搬送経路で停止させて乾燥させる必要がある場合に、第２判断処理が実行され、第２判断処理で搬送方向に沿った記録媒体の長さが所定値以上であると判断された場合、記録媒体を、少なくとも一部がスイッチバック経路にある状態で停止させる。これにより、液体が吐出された記録媒体を搬送経路で停止させて乾燥させる必要がある場合に、搬送方向に沿った記録媒体の長さが長くても、記録媒体の乾燥停止中に、記録媒体に付着した液体が受容部又は受容部に受容された記録媒体に移る問題を抑制することができる。
【図面の簡単な説明】
【００１９】
【図１】本発明の一実施形態に係るインクジェットプリンタの内部を示す概略側面図である。
【図２】図１のインクジェットプリンタに含まれるインクジェットヘッドの部分断面図である。
【図３】図１のインクジェットプリンタの電気的構成を示すブロック図である。
【図４】図１のインクジェットプリンタの制御部が実行する制御内容を示すフロー図である。
【図５】図４の「搬送制御＜増設搬送経路で乾燥停止＞」Ｓ８において、用紙が増設搬送経路で停止している状態を示す概略側面図である。
【図６】用紙において所定量以上のインクが吐出される領域を示す概略側面図である。
【図７】図４の「搬送制御＜スイッチバック経路で乾燥停止＞」Ｓ１２において、用紙がスイッチバック経路で停止している状態を示す概略側面図である。
【発明を実施するための形態】
【００２０】
本発明の一実施形態に係るインクジェットプリンタ（以下、単に「プリンタ」という。）１は、図１に示すように、筐体１ａを有する。筐体１ａの内部空間には、インクジェットヘッド（以下、単に「ヘッド」という。）１０、プラテン２０、給紙トレイ３０、搬送部４０、用紙センサ５０及び制御部１ｃが収容されている。筐体１ａの天板上部には、受容部６０が設けられている。
【００２１】
ヘッド１０は、本発明の「液体吐出部」に該当する。本実施形態のヘッド１０は、主走査方向に長尺なラインヘッドであり、図２に示すように、流路ユニット１２及びアクチュエータユニット１７を含む。
【００２２】
流路ユニット１２は、プレート１２ａ〜１２ｄを積層した積層体である。流路ユニット１２の内部には、流路が形成されている。流路ユニット１２の下面は、複数の吐出口１４ａが開口した吐出面１０ｘである。流路ユニット１２の内部に形成された流路は、１のマニホールド流路１３及び複数の個別流路１４を含む。個別流路１４は、吐出口１４ａ毎に設けられており、マニホールド流路１３の出口から圧力室１６を介して吐出口１４ａまで延在している。マニホールド流路１３は、インクを貯留するタンク（図示略）と連通している。タンクからマニホールド流路１３に供給されたインクは、個別流路１４を通り、吐出口１４ａから吐出される。
【００２３】
アクチュエータユニット１７は、振動板１７ａ、圧電層１７ｂ及び複数の個別電極１７ｃを積層した積層体である。振動板１７ａは、流路ユニット１２の上面に固定され、複数の圧力室１６を閉鎖している。圧電層１７ｂは、振動板１７ａの上面に固定され、複数の圧力室１６と対向している。複数の個別電極１７ｃは、圧電層１７ｂの上面に固定され、複数の圧力室１６のそれぞれと対向している。アクチュエータユニット１７における各個別電極１７ｃと各圧力室１６とで挟まれた部分は、圧力室１６毎に個別のユニモルフ型アクチュエータとして機能し、個別電極１７ｃへの電圧の印加に応じて、独立して変形可能である。アクチュエータが圧力室１６に向かって凸となるように変形することにより、圧力室１６の容積が減少し、圧力室１６内のインクに圧力が付与され、吐出口１４ａからインクが吐出される。
【００２４】
プラテン２０は、平らな板からなり、吐出面１０ｘと対向する位置に配置されている。プラテン２０の表面２０ｘと吐出面１０ｘとの間には、記録に適した所定の間隙が形成されている。
【００２５】
給紙トレイ３０は、本発明の「収容部」に該当し、ヘッド１０に給送される用紙Ｐを収容する。用紙Ｐは、本発明の「記録媒体」に該当する。給紙トレイ３０は、複数の用紙Ｐを収容可能であると共に、複数種類のサイズの用紙Ｐを収容可能であり、筐体１ａに対して着脱可能である。
【００２６】
搬送部４０は、給紙トレイ３０から吐出面１０ｘと対向する対向位置Ｘを経由して受容部６０に至る搬送経路Ｒに沿って用紙Ｐを搬送するように構成されている。搬送経路Ｒは、給紙トレイ３０から対向位置Ｘまでの上流経路Ｒ１と、対向位置Ｘから受容部６０までの下流経路Ｒ２と、下流経路Ｒ２から分岐して上流経路Ｒ１に戻るスイッチバック経路Ｒ３とを含む。
【００２７】
スイッチバック経路Ｒ３は、下流経路Ｒ２に定められた分岐位置Ａにおいて下流経路Ｒ２から分岐し、且つ、上流経路Ｒ１に定められた合流位置Ｂにおいて上流経路Ｒ１に合流している。スイッチバック経路Ｒ３は、分岐位置Ａを一端として、ヘッド１０及びプラテン２０の下方を通り、合流位置Ｂを他端とする経路である。分岐位置Ａには、用紙Ｐの搬送先を経路Ｒ２，Ｒ３のいずれかに切り換えるための切換機構（図示略）が配置されている。合流位置Ｂには、用紙Ｐの搬送先を経路Ｒ１，Ｒ３のいずれかに切り換えるための切換機構（図示略）が配置されている。各切換機構は、用紙Ｐが決定された経路に沿って搬送されるよう、制御部１ｃによって制御される。
【００２８】
搬送部４０は、給紙ローラ４１、ローラ対４２〜４６及び複数のガイド４９を含む。
【００２９】
給紙ローラ４１は、給紙トレイ３０内で最も上方にある用紙Ｐと接触する位置に配置されている。給紙ローラ４１は、制御部１ｃの制御によって搬送モータ４０Ｍ（図３参照）が駆動されることで回転し、給紙トレイ３０内で最も上方にある用紙Ｐを送り出す。
【００３０】
ローラ対４２〜４６は、搬送経路Ｒに沿って所定の間隔をなして配置されている。各ローラ対４２〜４６は、互いに接触する２つのローラを含み、用紙Ｐを当該２つのローラで挟持しつつ搬送するように構成されている。各ローラ対４２〜４６を構成する２つのローラの一方は、駆動ローラであり、制御部１ｃの制御によって搬送モータ４０Ｍ（図３参照）が駆動されることで回転する。各ローラ対４２〜４６を構成する２つのローラの他方は、従動ローラであり、駆動ローラの回転に伴い、駆動ローラと接触しながら駆動ローラと逆の方向に回転する。ローラ対４２〜４６の回転により、給紙ローラ４１によって給紙トレイ３０から送り出された用紙Ｐが搬送経路Ｒに沿って搬送される。
【００３１】
ローラ対４２，４３，４６は、正方向（ローラ対４２，４３においては用紙Ｐを図１に黒塗り矢印で示す方向Ｄ１に搬送する方向、ローラ対４６においては用紙Ｐを図１に白抜き矢印で示す方向Ｄ２に搬送する方向）にのみ回転可能である。ローラ対４４，４５は、正逆方向（用紙Ｐを方向Ｄ１に搬送する方向、及び、用紙Ｐを方向Ｄ２に搬送する方向）に回転可能である。
【００３２】
下流経路Ｒ２に配置された各ローラ対４３〜４５において、一方のローラ（直近の記録時に対向位置Ｘにおいてインクが吐出された用紙Ｐの面と接触するローラ）４３ａ〜４５ａは外周に複数の突起を有する拍車ローラであり、他方のローラ４３ｂ〜４５ｂはゴムローラである。
【００３３】
ローラ対４５は、本発明の「支持部材」に該当し、下流経路Ｒ２の最も下流において用紙Ｐを支持する。
【００３４】
ローラ対４６は、本発明の「搬送部材」に該当し、スイッチバック経路Ｒ３において用紙Ｐと接触して用紙Ｐを搬送する。
【００３５】
各ガイド４９は、搬送経路Ｒに沿って用紙Ｐが搬送される空間を形成するように間隙を介して対向配置された一対の板を含む。
【００３６】
用紙センサ５０は、上流経路Ｒ１に定められた検知位置５０ａに用紙ＰがあるときにＯＮ信号、検知位置５０ａに用紙ＰがないときにＯＦＦ信号を、制御部１ｃに出力する。
【００３７】
受容部６０は、本実施形態では筐体１ａの天板で構成されており、搬送経路Ｒに沿って搬送された用紙Ｐを受容する。
【００３８】
制御部１ｃは、演算処理装置であるＣＰＵ（Central Processing Unit）１ｃ１、ＲＯＭ（Read Only Memory）１ｃ２、ＲＡＭ（Random Access Memory）１ｃ３、ＡＳＩＣ（Application Specific Integrated Circuit）１ｃ４、Ｉ／Ｆ（Interface）１ｃ５及びＩ／Ｏ（Input/Output Port）１ｃ６を含む。ＲＯＭ１ｃ２は、ＣＰＵ１ｃ１が実行するプログラム等の固定データを記憶している。ＲＡＭ１ｃ３は、ＣＰＵ１ｃ１がプログラムを実行するために必要なデータ（画像データ等）を一時的に記憶する。ＡＳＩＣ１ｃ４は、画像データの書き換え、並び替え等（例えば、信号処理や画像処理）を行う。Ｉ／Ｆ１ｃ５は、外部装置（例えば、プリンタ１に接続されたＰＣ）とのデータ送受信を行う。Ｉ／Ｏ１ｃ６は、用紙センサ５０を含む各種センサと信号の送受信を行う。
【００３９】
プリンタ１には、増設ユニット１００が着脱可能である。増設ユニット１００は、筐体１０１ａを有する。筐体１０１ａの内部空間には、増設搬送部１４０が収容されている。筐体１０１ａの天板上部には、増設受容部１６０が設けられている。
【００４０】
筐体１０１ａは、筐体１ａの上面に形成された開口１ｘと筐体１０１ａの下面に形成された開口１０１ｘとが対向し、且つ、筐体１ａの上面に設けられた接点Ｃ１と筐体１０１ａの下面に設けられた接点Ｃ２とが接触するように、筐体１ａの上部に配置される。接点Ｃ１は、制御部１ｃと電気的に接続されている（図３参照）。増設ユニット１００がプリンタ１に装着され（即ち、筐体１０１ａが筐体１ａの上部に配置され）ると、接点Ｃ１，Ｃ２が互いに接触して電気的に接続され、接点Ｃ１，Ｃ２を介して制御部１ｃと増設ユニット１００の各要素と間の信号の送受信が可能となる。
【００４１】
増設搬送部１４０は、下流経路Ｒ２から分岐して増設受容部１６０に向かう増設搬送経路Ｒ１００に沿って用紙Ｐを搬送するように構成されている。増設搬送経路Ｒ１００の長さは、下流経路Ｒ２のうち増設搬送経路Ｒ１００との分岐位置Ｃよりも下流（方向Ｄ１において下流）の部分の長さよりも長い。分岐位置Ｃは、ローラ対４５よりも方向Ｄ１の上流側、且つ、分岐位置Ａ及びローラ対４４よりも方向Ｄ１の下流側にある。分岐位置Ｃには、用紙Ｐの搬送先を経路Ｒ２，Ｒ１００のいずれかに切り換えるための切換機構（図示略）が配置されている。切換機構は、用紙Ｐが決定された経路に沿って搬送されるよう、制御部１ｃによって制御される。
【００４２】
増設搬送部１４０は、ローラ対１４１，１４２及び複数のガイド１４９を含む。
【００４３】
ローラ対１４１，１４２は、増設搬送経路Ｒ１００に沿って所定の間隔をなして配置されている。各ローラ対１４１，１４２は、互いに接触する２つのローラを含み、用紙Ｐを当該２つのローラで挟持しつつ搬送するように構成されている。各ローラ対１４１，１４２を構成する２つのローラの一方は、駆動ローラであり、制御部１ｃの制御によって搬送モータ１４０Ｍ（図３参照）が駆動されることで回転する。各ローラ対１４１，１４２を構成する２つのローラの他方は、従動ローラであり、駆動ローラの回転に伴い、駆動ローラと接触しながら駆動ローラと逆の方向に回転する。ローラ対１４１，１４２の回転により、開口１ｘ，開口１０１ｘを介して増設ユニット１００に供給された用紙Ｐが、増設搬送経路Ｒ１００に沿って搬送される。
【００４４】
ローラ対１４１，１４２は、正逆方向（用紙Ｐを方向Ｄ１に搬送する方向、及び、用紙Ｐを方向Ｄ２に搬送する方向）に回転可能である。また、各ローラ対１４１，１４２において、一方のローラ（直近の記録時に対向位置Ｘにおいてインクが吐出された用紙Ｐの面と接触するローラ）１４１ａ，１４２ａは外周に複数の突起を有する拍車ローラであり、他方のローラ１４１ｂ，１４２ｂはゴムローラである。
【００４５】
各ガイド１４９は、増設搬送経路Ｒ１００に沿って用紙Ｐが搬送される空間を形成するように間隙を介して対向配置された一対の板を含む。
【００４６】
増設受容部１６０は、増設搬送経路Ｒ１００に沿って搬送された用紙Ｐを受容する。
【００４７】
筐体１０１ａの上面には、開口１０１ｙ及び接点Ｃ３が設けられており、当該増設ユニット１００の上部にさらに別の増設ユニットを装着可能となっている。別の増設ユニットの増設搬送経路Ｒ２００は、当該増設ユニット１００の増設搬送経路Ｒ１００に定められた分岐位置Ｄから分岐して、別の増設ユニットの増設受容部に向かう。分岐位置Ｄには、用紙Ｐの搬送先を経路Ｒ１００，Ｒ２００のいずれかに切り換えるための切換機構（図示略）が配置されている。切換機構は、用紙Ｐが決定された経路に沿って搬送されるよう、制御部１ｃによって制御される。
【００４８】
次いで、図４〜図７を参照し、制御部１ｃ（詳細には、ＣＰＵ１ｃ１）が実行する制御内容について説明する。
【００４９】
なお、以下の説明は、用紙Ｐの搬送制御に関するものであり、ヘッド１０の駆動制御については説明を省略する。また、用紙Ｐの搬送に応じて分岐位置Ａ、合流位置Ｂ及び分岐位置Ｃ（増設ユニット１００がプリンタ１に装着されている場合は、さらに分岐位置Ｄ）に配置された切換機構（図示略）が制御されるが、切換機構の制御については説明を省略する。
【００５０】
ＣＰＵ１ｃ１は、先ず、図４に示すように、外部装置から記録指令（ｎ（ｎ＝自然数）枚の用紙Ｐに対する記録を行うことを指示する指令）を受信したか否かを判断する（Ｓ１）。記録指令を受信していないと判断された場合（Ｓ１：ＮＯ）、ＣＰＵ１ｃ１は、Ｓ１の処理を繰り返す。
【００５１】
記録指令を受信したと判断された場合（Ｓ１：ＹＥＳ）、ＣＰＵ１ｃ１は、「ｎ＝１」と設定する（Ｓ２）。Ｓ２の後、ＣＰＵ１ｃ１は、当該記録指令に基づいて記録が行われるべきｎ枚目の用紙Ｐnを、記録後（即ち、対向位置Ｘにおいてインクが吐出された後）且つ受容部６０又は増設受容部１６０に受容させる前に、搬送経路Ｒ又は増設搬送経路Ｒ１００で停止させて乾燥させる必要があるか否かを判断する（Ｓ３）。Ｓ３の判断は、例えば、用紙Ｐnに吐出されるインクの量、用紙Ｐnの種類等に基づいて、行われる。
【００５２】
乾燥させる必要がないと判断された場合（Ｓ３：ＮＯ）、ＣＰＵ１ｃ１は、「搬送制御＜乾燥停止なし＞」を実行する（Ｓ４）。Ｓ４において、ＣＰＵ１ｃ１は、用紙Ｐnが給紙トレイ３０から受容部６０又は増設受容部１６０に至るまでの間に乾燥のために搬送経路Ｒ又は増設搬送経路Ｒ１００で停止されないように、搬送部４０（増設ユニット１００がプリンタ１に装着されている場合は、さらに増設搬送部１４０）を制御する。
【００５３】
Ｓ４において、片面記録（即ち、それぞれ第１面及び第１面とは反対側の第２面の両面を有する用紙Ｐに対する第１面への記録）の場合、用紙Ｐnは、給紙トレイ３０から方向Ｄ１に沿って搬送され、上流経路Ｒ１を通って対向位置Ｘに至り、対向位置Ｘにおいて第１面への記録が行われた後、下流経路Ｒ２を通って受容部６０（又は、増設ユニット１００がプリンタ１に装着されており且つ増設受容部１６０が受容先として指定されていれば、増設搬送経路Ｒ１００を通って増設受容部１６０）に受容される。
【００５４】
Ｓ４において、両面記録（即ち、それぞれ第１面及び第１面とは反対側の第２面の両面を有する用紙Ｐに対する両面への記録）の場合、用紙Ｐnは、給紙トレイ３０から方向Ｄ１に沿って搬送され、上流経路Ｒ１を通って対向位置Ｘに至り、対向位置Ｘにおいて第１面への記録が行われた後、下流経路Ｒ２に搬送され、ローラ対４４，４５に挟持された状態で一旦停止される。そして用紙Ｐnは、ローラ対４４，４５の逆方向の回転により搬送方向（搬送部４０によって用紙Ｐが搬送される方向）を反転させ、方向Ｄ２に沿って下流経路Ｒ２からスイッチバック経路Ｒ３に搬送される。さらに用紙Ｐnは、搬送方向を反転させずに、方向Ｄ２に沿ってスイッチバック経路Ｒ３から合流位置Ｂを通って上流経路Ｒ１に戻される。そして用紙Ｐnは、再び方向Ｄ１に沿って搬送され、対向位置Ｘにおいて第２面への記録が行われた後、下流経路Ｒ２を通って受容部６０（又は、増設ユニット１００がプリンタ１に装着されており且つ増設受容部１６０が受容先として指定されていれば、増設搬送経路Ｒ１００を通って増設受容部１６０）に受容される。
【００５５】
乾燥させる必要があると判断された場合（Ｓ３：ＹＥＳ）、ＣＰＵ１ｃ１は、接点Ｃ１，Ｃ２間の電気的接続の有無に基づいて、増設ユニット１００がプリンタ１に装着されているか否かを判断する（Ｓ５）。増設ユニット１００がプリンタ１に装着されていると判断された場合（Ｓ５：ＹＥＳ）、ＣＰＵ１ｃ１は、記録指令に含まれるユーザ指定データを参照し、受容先の指定があるか（即ち、用紙Ｐnを受容部６０及び増設受容部１６０のいずれに受容させるかが指定されているか）否かを判断する（Ｓ６）。受容先の指定があると判断された場合（Ｓ６：ＹＥＳ）、ＣＰＵ１ｃ１は、増設受容部１６０が受容先として指定されているか否かを判断する（Ｓ７）。
【００５６】
受容先の指定がないと判断された場合（Ｓ６：ＮＯ）、又は、増設受容部１６０が受容先として指定されていると判断された場合（Ｓ７：ＹＥＳ）、ＣＰＵ１ｃ１は、「搬送制御＜増設搬送経路で乾燥停止＞」を実行する（Ｓ８）。Ｓ８において、ＣＰＵ１ｃ１は、Ｓ４と同様の経路を通って片面記録の場合に第１面又は両面記録の場合に両面に記録が行われた用紙Ｐnが、増設搬送経路Ｒ１００に沿って搬送され、増設受容部１６０に受容される前に、図５に示すように、少なくとも一部が増設搬送経路Ｒ１００にある状態で停止されるように、搬送部４０及び増設搬送部１４０を制御する。そしてＣＰＵ１ｃ１は、用紙Ｐnの乾燥後、用紙Ｐnが方向Ｄ１に搬送され、用紙Ｐnにおいてインクが吐出された面が増設受容部１６０と対向して増設受容部１６０に受容されるように、増設搬送部１４０を制御する。
【００５７】
増設ユニット１００がプリンタ１に装着されていないと判断された場合（Ｓ５：ＮＯ）、又は、増設受容部１６０が受容先として指定されていない（即ち、受容部６０が受容先として指定されている）と判断された場合（Ｓ７：ＮＯ）、ＣＰＵ１ｃ１は、「ＰＬ（搬送方向に沿った用紙Ｐnの長さ（即ち、用紙Ｐnの全長））−Ｐｘ（用紙Ｐnにおける方向Ｄ１（下流経路Ｒ２の上流から下流に向かう方向）の端部（以下、「先端」という。）Ｐａから、用紙Ｐnにおいて所定量以上のインクが吐出される領域Ｐ１〜Ｐ３のうち搬送方向に関して先端Ｐａに最も近い領域（図６では、領域Ｐ１）までの、搬送方向に沿った長さ）」が所定値以上か否かを判断する（Ｓ９）。本実施形態において、ＰＬは、用紙センサ５０からの信号と搬送モータ４０Ｍの回転数とから求められる。これに代えて又はこれに加えて、給紙トレイ３０内に設けられた用紙長センサ、記録指令に含まれる用紙サイズを示すデータ等から、ＰＬを求めてもよい。領域Ｐ１〜Ｐ３は、記録指令に含まれる画像データから求められる。所定値は、例えば、図１に示す「Ｌ１（用紙Ｐにおけるローラ対４５からの搬送方向の突出長さに関する所定長さ）＋Ｌ２（下流経路Ｒ２のうち、ヘッド１０からローラ対４５までの長さ）」である。
【００５８】
「ＰＬ−Ｐｘ」が所定値未満であると判断された場合（Ｓ９：ＮＯ）、ＣＰＵ１ｃ１は、「搬送制御＜下流経路で乾燥停止＞」を実行する（Ｓ１０）。Ｓ１０において、ＣＰＵ１ｃ１は、Ｓ４と同様の経路を通って片面記録の場合に第１面又は両面記録の場合に両面に記録が行われた用紙Ｐnが、受容部６０に受容される前に、少なくとも一部が下流経路Ｒ２にある状態で停止されるように、搬送部４０を制御する。そしてＣＰＵ１ｃ１は、用紙Ｐnの乾燥後、用紙Ｐnが方向Ｄ１に搬送され、用紙Ｐnにおいてインクが吐出された面が受容部６０と対向して受容部６０に受容されるように、搬送部４０を制御する。
【００５９】
「ＰＬ−Ｐｘ」が所定値以上であると判断された場合（Ｓ９：ＹＥＳ）、ＣＰＵ１ｃ１は、用紙Ｐnのスイッチバック経路Ｒ３における停止位置を決定する（Ｓ１１）。ここで、上記停止位置は、用紙Ｐnがローラ対４６と接触しない位置である。具体的には、図７に示すように、用紙Ｐnにおける方向Ｄ２の端部（以下、「後端」という。）Ｐｂがローラ対４６に到達する前に用紙Ｐnが停止されるように、停止位置を決定する。また、ＣＰＵ１ｃ１は、「ＰＬ−Ｐｘ」の値が小さいほどスイッチバック経路Ｒ３において延在する用紙Ｐnの長さが短くなるように、ローラ対４５からの用紙Ｐnの搬送方向の突出長さＬ１’が所定長さＬ１以下となるように、且つ、受容部６０に受容された用紙Ｐの量が多いほど突出長さＬ１’が短くなるように、停止位置を決定する。
【００６０】
Ｓ１１の後、ＣＰＵ１ｃ１は、「搬送制御＜スイッチバック経路で乾燥停止＞」を実行する（Ｓ１２）。Ｓ１２において、ＣＰＵ１ｃ１は、Ｓ４と同様の経路を通って片面記録の場合に第１面又は両面記録の場合に両面に記録が行われた用紙Ｐnが、受容部６０に受容される前に、搬送方向を反転してスイッチバック経路Ｒ３に搬送され、図７に示すように、少なくとも一部がスイッチバック経路Ｒ３にある状態で停止されるように、搬送部４０を制御する。そしてＣＰＵ１ｃ１は、用紙Ｐnの乾燥後、用紙Ｐnが方向Ｄ１に搬送され、用紙Ｐnにおいてインクが吐出された面が受容部６０と対向して受容部６０に受容されるように、搬送部４０を制御する。つまりＣＰＵ１ｃ１は、片面記録の場合に第１面に記録が行われた用紙Ｐn又は両面記録の場合に両面に記録が行われた用紙Ｐnを、少なくとも一部がスイッチバック経路Ｒ３にある状態で停止させた後、搬送方向を再度反転させてスイッチバック経路Ｒ３から下流経路Ｒ２に搬送して受容部６０に受容させる。また、ＣＰＵ１ｃ１は、両面記録の場合に第１面に記録が行われた用紙Ｐnを、少なくとも一部がスイッチバック経路Ｒ３にある状態で停止させた後、第２面への記録が行われるように、搬送方向を再度反転させずにスイッチバック経路Ｒ３から上流経路Ｒ１に戻す。
【００６１】
Ｓ４、Ｓ８、Ｓ１０又はＳ１２の後、ＣＰＵ１ｃ１は、「ｎ＝ｎ＋１」と設定する（Ｓ１３）。Ｓ１３の後、ＣＰＵ１ｃ１は、記録指令に含まれる画像データを参照し、用紙Ｐnの記録データがあるか否かを判断する（Ｓ１４）。用紙Ｐnの記録データがあると判断された場合（Ｓ１４：ＹＥＳ）、ＣＰＵ１ｃ１は、処理をＳ３に戻す。用紙Ｐnの記録データがないと判断された場合（Ｓ１４：ＮＯ）、ＣＰＵ１ｃ１は、当該ルーチンを終了する。
【００６２】
以上に述べたように、本実施形態によれば、ＣＰＵ１ｃ１は、用紙Ｐに対して記録を行う際に、インクが吐出された用紙Ｐを搬送経路Ｒで停止させて乾燥させる必要があるか否かを判断する（Ｓ３：第１判断処理）。そしてＣＰＵ１ｃ１は、乾燥させる必要があると判断された場合（Ｓ３：ＹＥＳ）に、「ＰＬ−Ｐｘ」が所定値以上か否かを判断する（Ｓ９：第２判断処理）。「ＰＬ−Ｐｘ」が所定値以上であると判断された場合（Ｓ９：ＹＥＳ）、ＣＰＵ１ｃ１は、用紙Ｐを、少なくとも一部がスイッチバック経路Ｒ３にある状態で停止させる（Ｓ１２：搬送制御処理）。Ｓ１２において、ＣＰＵ１ｃ１は、図７に示すように、上流経路Ｒ１から下流経路Ｒ２に搬送されて対向位置Ｘにおいて記録が行われた用紙Ｐnが、搬送方向を反転してスイッチバック経路Ｒ３に搬送され、少なくとも一部がスイッチバック経路Ｒ３にある状態で停止された後、インクが吐出された面が受容部６０と対向して受容部６０に受容されるように、搬送部４０を制御する。これにより、インクが吐出された用紙Ｐを搬送経路Ｒで停止させて乾燥させる必要がある場合に、ＰＬ（用紙Ｐの全長）が長くても、用紙Ｐの乾燥停止中に、用紙Ｐに付着したインクが受容部６０又は受容部６０に受容された用紙Ｐに移る問題を抑制することができる。
【００６３】
なお、ＰＬが長い用紙Ｐを下流経路Ｒ２で停止させている間に用紙Ｐの先端部分が受容部６０又は受容部６０に受容された用紙Ｐに接触した状態が維持され、用紙Ｐの先端部分に付着したインクが受容部６０又は受容部６０に受容された用紙Ｐに移るという問題を抑制するため、用紙Ｐの先端部分が受容部６０又は受容部６０に受容された用紙Ｐに接触しないように、搬送方向を反転させて用紙Ｐを上流経路Ｒ１に向けて搬送し、用紙Ｐを少なくとも一部が上流経路Ｒ１にある状態で停止させることも考えられる。しかしこの場合、用紙Ｐの乾燥停止中に、用紙Ｐが複数の吐出口１４ａと対向した状態が維持され、用紙Ｐの湾曲等によって、吐出口１４ａ近傍にあるインクが用紙Ｐに付着するという問題が生じ得る。本実施形態によれば、このような問題が生じない。
【００６４】
Ｓ９において、ＣＰＵ１ｃ１は、「ＰＬ−Ｐｘ」が所定値以上か否かを判断する。上記構成によれば、ＰＬ（用紙Ｐの全長）が長い場合でも、用紙Ｐの先端部分におけるインク吐出量が少なければ、スイッチバック経路Ｒ３で停止させずに下流経路Ｒ２で停止させることで、用紙Ｐを停止させてから受容部６０に受容させるまでの時間を短縮し、記録速度を向上させることができる。
【００６５】
スイッチバック経路Ｒ３は、下流経路Ｒ２から分岐して上流経路Ｒ１に戻る。上記構成によれば、もともと両面記録用の経路として備えられた経路をスイッチバック経路Ｒ３として用いることで、経路の追加が不要になり、装置構成の複雑化を回避することができる。また、ＣＰＵ１ｃ１は、Ｓ１２において、スイッチバック経路Ｒ３に搬送された用紙Ｐnをローラ対４６と接触しない位置で停止させる（図７参照）。上記構成によれば、スイッチバック経路Ｒ３に搬送された用紙Ｐをローラ対４６と接触しない位置で停止させることで、用紙Ｐに付着したインクがローラ対４６に移ること（ひいては、ローラ対４６に付着したインクがスイッチバック経路Ｒ３に沿って搬送される用紙Ｐに移ること）を防止することができる。さらに、搬送方向を反転させてスイッチバック経路Ｒ３に搬送された用紙Ｐをローラ対４６と接触する位置で停止させた場合に、その後搬送方向を再度反転させようとすると、双方向に搬送可能なローラ対を採用する必要があるが、上記構成によればその必要がない。
【００６６】
ＣＰＵ１ｃ１は、Ｓ１２において、両面に記録が行われた用紙Ｐ又は第１面に記録が行われた用紙Ｐを、少なくとも一部がスイッチバック経路Ｒ３にある状態で停止させた後、搬送方向を再度反転させてスイッチバック経路Ｒ３から下流経路Ｒ２に搬送して受容部６０に受容させる。上記構成によれば、用紙Ｐをスイッチバック経路Ｒ３で停止させた後再び上流経路Ｒ１に戻し、上流経路Ｒ１から下流経路Ｒ２に搬送して受容部６０に受容させる場合に比べ、用紙Ｐを停止させてから受容部６０に受容させるまでの時間を短縮し、記録速度を向上させることができる。
【００６７】
ＣＰＵ１ｃ１は、Ｓ１２において、第１面に記録が行われた用紙Ｐを、少なくとも一部がスイッチバック経路Ｒ３にある状態で停止させた後、第２面への記録が行われるように、搬送方向を再度反転させずにスイッチバック経路Ｒ３から上流経路Ｒ１に戻す。上記構成によれば、両面記録を適切に行うことができる。
【００６８】
ＣＰＵ１ｃ１は、Ｓ１２の前に、「ＰＬ−Ｐｘ」の値が小さいほどスイッチバック経路Ｒ３において延在する用紙Ｐの長さが短くなるように、用紙Ｐのスイッチバック経路Ｒ３における停止位置を決定する（Ｓ１１：第１決定処理）。上記構成によれば、「ＰＬ−Ｐｘ」が小さい用紙Ｐほど、用紙Ｐを停止させてから受容部６０に受容させるまでの時間が短縮され、記録速度を向上させることができる。
【００６９】
ＣＰＵ１ｃ１は、Ｓ１２において、スイッチバック経路Ｒ３に搬送された用紙Ｐnを、ローラ対４５からの用紙Ｐnの搬送方向の突出長さＬ１’が所定長さＬ１以下の状態で停止させる（図７参照）。上記構成によれば、用紙Ｐの乾燥停止中に用紙Ｐに付着したインクが受容部６０又は受容部６０に受容された用紙Ｐに移る問題をより確実に抑制することができる。
【００７０】
ＣＰＵ１ｃ１は、Ｓ１２の前に、受容部６０に受容された用紙Ｐの量が多いほど突出長さＬ１’が短くなるように、用紙Ｐのスイッチバック経路Ｒ３における停止位置を決定する（Ｓ１１：第２決定処理）。上記構成によれば、受容部６０に受容された用紙Ｐにインクが付着することをより確実に抑制することができる。
【００７１】
搬送部４０は、下流経路Ｒ２において用紙Ｐと接触して用紙Ｐを搬送する拍車ローラ（ローラ４３ａ〜４５ａ）を含む。拍車ローラは、用紙Ｐとの接触領域が小さく、用紙Ｐと点接触する。したがって、上記構成によれば、記録後の用紙Ｐが下流経路Ｒ２に沿って搬送されるときに用紙Ｐに付着したインクがローラ４３ａ〜４５ａに移ること（ひいては、ローラ４３ａ〜４５ａに付着したインクが下流経路Ｒ２に沿って搬送される用紙Ｐに移ること）を防止することができる。
【００７２】
プリンタ１は増設ユニット１００を着脱可能であり、ＣＰＵ１ｃ１は増設ユニット１００がプリンタ１に装着されているか否かを判断する（Ｓ５：第３判断処理）。ＣＰＵ１ｃ１は、増設ユニット１００が装着されていると判断された場合（Ｓ５：ＹＥＳ）に、受容先の指定がなければ、「搬送制御＜増設搬送経路で乾燥停止＞」を実行する（Ｓ８）。増設搬送経路Ｒ１００で停止させて乾燥させる場合、長尺な用紙Ｐでも、後端Ｐｂが対向位置Ｘを抜けていることが多い（図５参照）。したがって、上記構成によれば、次の用紙Ｐへの記録を速やかに行うことができ、記録速度を向上させることができる。
【００７３】
続いて、本発明の別の実施形態について説明する。
【００７４】
本実施形態は、Ｓ１１において、「ＰＬ−Ｐｘ」の代わりに「ＰＬ」を採用する点を除き、上述の実施形態と同様である。
【００７５】
本実施形態によれば、ＣＰＵ１ｃ１は、Ｓ１１において、ＰＬ（用紙Ｐの全長）が短いほど、スイッチバック経路Ｒ３において延在する用紙Ｐの長さが短くなるように、停止位置を決定する。上記構成によれば、ＰＬが短い用紙Ｐほど、用紙Ｐを停止させてから受容部６０に受容させるまでの時間が短縮され、記録速度を向上させることができる。
【００７６】
以上、本発明の好適な実施の形態について説明したが、本発明は上述の実施形態に限られるものではなく、例えば以下のように、特許請求の範囲に記載した限りにおいて様々な設計変更が可能なものである。
【００７７】
・液体吐出部は、ライン式に限定されず、シリアル式であってもよい。
・液体吐出部が吐出する液体は、インクに限定されず、任意の液体（例えば、前処理液）であってよい。
・記録装置に含まれる液体吐出部の数は、１以上の任意の数であってよく、複数であってもよい。
・収容部は、記録装置の筐体に対して着脱可能であることに限定されず、例えば、筐体に対して引出可能、又は、筐体に対して開閉可能（手差しトレイ等）であってもよい。
・受容部は、筐体の天板で構成されることに限定されず、例えば、筐体に対して着脱可能、引出可能又は開閉可能な部材で構成されてもよい。
・搬送部は、ローラやガイドに代えて又はこれらに加えて、ベルトを含んでもよい。
・搬送部材は、ローラ対に限定されず、ベルト等であってもよい。
・支持部材は、ローラ対に限定されず、ベルトやガイド部材等であってもよい。
・搬送経路は、上述の実施形態のような構成に限定されない。例えば、上流経路や下流経路が水平面に沿った形状であってもよい。スイッチバック経路は、下流経路に戻ってもよい。この場合に、スイッチバック経路における下流経路からの分岐位置とスイッチバック経路における下流経路への合流位置とが同じ位置であってもよい。
・記録媒体は、用紙に限定されず、例えば布等、記録可能な任意の媒体であってよい。
・本発明に係る記録装置は、プリンタに限定されず、ファクシミリやコピー機であってもよい。
・本発明に係る記録装置は、増設ユニットを着脱可能でなくてもよい。
・上述の実施形態では、第２判断処理において、「ＰＬ−Ｐｘ」（搬送方向に沿った記録媒体の長さから、記録媒体における下流経路の上流から下流に向かう方向の端部から記録媒体において所定量以上の液体が吐出される領域のうち搬送方向に関して上記端部に最も近い領域までの搬送方向に沿った長さを差し引いた値）が所定値以上か否かを判断するが、第２判断処理において、「ＰＬ」（搬送方向に沿った記録媒体の長さ）が所定値以上か否かを判断してもよい。
・第２判断処理で用いられる「所定値」、及び、記録媒体における支持部材からの搬送方向の突出長さに関する「所定長さ（Ｌ１）」は、記録媒体の腰、支持部材による記録媒体の挟持角度等、様々な要素に応じて決定されてよい。
【符号の説明】
【００７８】
１  インクジェットプリンタ（記録装置）
１ｃ  制御部
１０  インクジェットヘッド（液体吐出部）
１４ａ  吐出口
３０  給紙トレイ（収容部）
４０  搬送部
４３ａ〜４５ａ  拍車ローラ
４５  ローラ対（支持部材）
４６  ローラ対（搬送部材）
６０  受容部
１００  増設ユニット
１４０  増設搬送部
１６０  増設受容部
Ｐ  用紙（記録媒体）
Ｐ１〜Ｐ３  領域
Ｒ  搬送経路
Ｒ１  上流経路
Ｒ２  下流経路
Ｒ３  スイッチバック経路
Ｒ１００  増設搬送経路
Ｘ  対向位置
【図１】
0006558182.tif 000002
【図２】
0006558182.tif 000003
【図３】
0006558182.tif 000004
【図４】
0006558182.tif 000005
【図５】
0006558182.tif 000006
【図６】
0006558182.tif 000007
【図７】
0006558182.tif 000008